(57)【要約】【課題】  販売時のみならず購入後に空になったとしても何らかの興趣を催すようにして、飾ったり集めたりしたくなるような、新規な構造を備えた物品等の収容ケースを提供する。【解決手段】  収容ケース１はケース部２の前壁に粘着テープ２９によってキャラクター板１０を固定したものである。キャラクター板１０はその表面にキャラクターが印刷されている。また収容ケース１はキャラクター板１０の脚部１１とケース部２の脚部２４とで自立することが出来る。キャラクター板１０もケース部２も個別には自立が出来ない性質のものであるが、両者を都合良く組み合わせることで自立可能となる。【選択図】図１
2018062383.tif 000002
【特許請求の範囲】
【請求項１】
印刷面を有する平板と、その背面に設けられた収容ケースとから成り、前記平板と前記収容ケースとを安定的に自立させるための脚部または台座が、前記平板または前記収容ケースの底部に設けられている、物品等の収容ケース。
【請求項２】
印刷面を有する平板と、その背面に設けられた収容ケースとから成り、一方向への揺動運動を行い得るように、前記収容ケースの底部および前記平板の底辺部が船底に設けられている、物品等の収容ケース。
【請求項３】
前記平板と前記収容ケースとが別体であり、各々の形成後に一体化して成る、請求項１または請求項２に記載の物品等の収容ケース。
【請求項４】
前記平板と、前記収容ケースの展開体とが一体であり、両者を折り分けることで別体として形成したものである、請求項１または請求項２に記載の物品等の収容ケース。
【請求項５】
前記平板と前記収容ケースの側壁との間に空間を設けて成る、請求項１または請求項２に記載の物品等の収容ケース。
【発明の詳細な説明】
【技術分野】
【０００１】  この発明は、印刷面を有する平板（カーブするものも含む）と、その背面に設けられた菓子等の収容ケースとから構成され、そのままディスプレーとして使うことが出来、購入後や菓子等の消費後に趣味や思い出などのために飾って置くことが可能な、新規な構造を備えた物品等の収容ケースに係る。
【背景技術】
【０００２】  従来より機能性に優れた紙函が多種提案されている。特開２００３−１８２２７９号は折り畳み式のいわゆるＢ式箱であり、印刷し終えた名刺をパックする段で容易に折り畳んで組み立てることが可能な名刺入れ容器に関するものである。【０００３】  また実開平０７−０１９１７５は側部隅開き式のキャラメル箱であり、丸いキャラメルや丸いチョコレートを一粒づつ取り出しやすくする蓋の開閉状態が安定して保持されるようにした、側部隅開き式のキャラメル箱に関するものである。
【先行技術文献】
【特許文献】
【０００４】
【特許文献１】特開２００３−１８２２７９号公報
【特許文献２】実開平０７−０１９１７５号公報
【発明の概要】
【発明が解決しようとする課題】
【０００５】  上掲のＢ式箱にしてもキャラメル箱にしてもごく普通の箱であることから、すでに在り来たりで目新しさに欠け、購入後に取っておくにしてもただの箱として置いておくだけで面白味に欠ける。従って直にゴミとして捨てられてしまうことが多い。【０００６】  そこでこの発明は、販売時は勿論のこと、購入後に空になったとしても何らかの興趣を催すようにして、飾ったり集めたりしたくなるような、新規な構造を備えた物品等の収容ケースを提供することを課題とする。
【課題を解決するための手段】
【０００７】  上記課題は請求項１の発明によれば、印刷面を有する平板と、その背面に設けられた収容ケースとから成り、前記平板と前記収容ケースとを安定的に自立させるための脚部または台座が、前記平板または前記収容ケースの底部に設けられている、物品等の収容ケースとすることにより解決される。後述するように平板で表わす形状や図柄はキャラクターやペットや風景などと自由であり、特にこの平板の意匠で興趣を催させることが出来る。【０００８】  収容ケースには菓子等々の物品がパックされる。これで収容ケースとしての目的は達成するのであるが、さらにこの収容ケースの前面に印刷面を有する平板（カーブするものも含む）が設けられている点に特徴を有する。従来であればこのようなキャラクターの形状を取りたいとする部分は、収容ケースの前面から切り起こさなくてはならなかった。このためキャラクター部分は収容ケースの前面の横幅や縦幅を超えるサイズのものとすることは完全に不可能であった。キャラクターはあくまでも収容ケースの前面の範囲内のものであった。【０００９】  また例えば後述の実施例１のように、物品をパックするに当たっては収容ケースを立体化しなくてはならないが、この発明によれば平板と収容ケースとは別体であることから、収容ケースの立体化に際して平板が収容ケース側に持って行かれて湾曲するなどの不都合は極めて生じにくい。平板は設計された通りの形状を保つのが好ましくある。【００１０】  なお平板は収容ケースの後面にも（すなわち両面に）設けられていても良い。食品の場合には品質表示部を見せるようにする必要はあるが、これは設計次第であろう。この平板の形状は自由であって、収容ケースと同じ形状でなくてはならないと言うことはない。またこの平板の大きさは自由であり、収容ケースと同じ大きさでなくてはならないと言うこともない。従って収容ケースのどちらの方向にも収容ケースの縁部を外方にはみ出すようなデザインとすることが可能で、例えば頭部の大きな人形や野菜のブロッコリーや動物の鬣ライオン等々、具象形状に所要のボリューム感を出すことが出来る。このようなことは従来の紙函では実現し得ないことであった。この平板の印刷面に印刷されるものは、キャラクターやペットや風景など自由であるから、飾ったり集めたりしたくなるような、興趣を催すものを印刷するようにする。なお平板は完全に平らなもの、上下方向や左右方向に湾曲しているもの、凹凸が形成されているものなどであっても良いものとする。これにより印刷面を有する平板の部分だけを取って見てもいろいろな表情が出せるようになる。なお平板そのものをいわゆる飛び出す絵本のように立体化をさせた構成としても良い。【００１１】  収容ケースに付いては、上掲のキャラメル箱の他、ショートケーキの持ち帰りなどに使用されるキャリー箱、陳列のためのハンガー箱、Ｎタイプ箱、ピロータイプ箱、スリープ箱等々、任意のものが用いられる。なお例えばキャラメル箱は立方体ではなく、平面視で一例六角形状のものにするなど自由である。またその素材も紙に限定されず、合成樹脂製や木製のものなどを自由に選択することが出来る。【００１２】  また平板と収容ケースとを安定的に自立させるための脚部や台座が平板か収容ケースの底部に設けられているため、収容ケースも平板も共に自立させることが可能である。この結果、上記飾ったり集めたりしたくなるような興趣を催すものが平板に印刷されており、自立が可能であることにより、この発明の収容ケースはゴミとして捨てられることはぐっと減り、収容ケースがスタンドとして、すなわち再利用包装容器として活用されるに至るのである。なお菓子などを詰めるまでは、収容ケースを潰してストックしたり運搬したりすることが出来るため、この際にスペースを取らない。【００１３】  また上記課題は請求項２の発明によれば、印刷面を有する平板と、その背面に設けられた収容ケースとから成り、一方向への揺動運動を行い得るように、前記収容ケースの底部および前記平板の底辺部が船底に設けられている、物品等の収容ケースとすることにより解決される。【００１４】  収容ケースの底部および平板の底辺部が船底に設けられているため、収容ケースも平板も共に自立するものの、力を加えることで、船底の湾曲方向へ揺動運動を行う。この収容ケースも請求項１の収容ケースと同様に、平板の印刷面にキャラクターやペットや風景などを自由に印刷することが出来るから、ゴミとして捨てられることが減って、収容ケースがスタンドとして再活用されることになる。さらに揺動運動をも行うため、飾って動かして興趣が尽きない。【００１５】  請求項１の発明にしても請求項２の発明にしても、平板のキャラクターやマスコットを自立させることが出来るのは大きな効果である。平板と収容ケースとで全体が立体化して見えるのも特徴である。またマスコットのシリーズ化なども愛好家の興趣をそそるものとなる。特筆すべきはダイカットすなわちマスコットを印刷したものを型で抜いて作ることが出来るから、従来のように収容ケースの設計にデザインが制約されることがなくしかもコストが安い。【００１６】  次に請求項１や請求項２の発明に付いて、前記平板と前記収容ケースとが別体であり、各々の形成後に一体化して成るものとすることが出来る。平板と収容ケースとは別体のままセットとして提供することが出来るが、通常は両者は接着して提供される。自然乾燥で接着する接着剤を用いる他、両面粘着テープを使用したり、熱溶着する接着材料を用いることも可能であり、両者の接着は任意に設計することが出来る。【００１７】  また請求項１や請求項２の発明に付いて、前記平板と、前記収容ケースの展開体とが一体であり、両者を折り分けることで別体として形成したものとすることが出来る。展開体はその一部が平板の部分であり、他の殆どは収容ケースを組み立てるための部分と言うことになる。例えばいわゆるキャラメル箱は、厚紙や合成樹脂製の板状体を、前面と背面、両側面、上面と下面、の６面およびのりしろ片や蓋部となる面に延設されたフラップ片とから成る各面を展開した状態のものとして抜き型で抜き取り、各面の境部分となる折り線で折ったり境部分で曲げたりした後、のりしろ片にて接着して箱に成形したものである。この発明ではこのようなキャラメル箱の一部分に平板が連設されており、これにより本発明の物品等の収容ケースが成り立っている。平板はキャラメル箱の一部分であり、キャラメル箱の各面に影響されな��から、平板の形状は如何様にも設計することが可能である。従って組み立てた収容ケースのどちらの方向に付いても、収容ケースの縁部を外にはみ出すようなデザインとすることが可能なのである。【００１８】  また請求項１や請求項２の発明に付いて、前記平板と前記収容ケースの側壁との間に空間を設けて成るものとすることが出来る。これは平板と収容ケースとの一体化部分を除いてのことになる。例えば収容ケースの部分がキャラメル箱であれば、これを立方体として構成せずに、キャラメル箱の左右の側面が平板に向かって、すなわち収容ケースの前面に向かって内側に入りこむような台形形状とすることで、或いは収容ケースの部分がピロータイプ箱の前面に平板を付けたものとすることで、キャラメル箱の左右の端部と平板との間に隙間を生ずる。これによって両者の間に空間を生じて平板がより飛び出しているかのような感じを与えることが出来るようになる。
【発明の効果】
【００１９】  この発明の物品等の収容ケースによれば、安定的自立のための脚部または台座を備え、或いは一方向への揺動運動のための船底を備え、印刷面を有する平板と、その背面に設けられた収容ケースとから成るように構成したので、平板部分を例えばキャラクターの切り抜きにするなどの工夫によって、販売時は勿論のこと、購入後に収容物が空になったとしてもキャラクターのマスコットなどとして楽しむことが出来、飾ったり集めたりしたくなり、収容ケースが再利用されると言う効果を奏して所期の目的が達成されている。
【図面の簡単な説明】
【００２０】
【図１】  実施例１を正面視した状態を表す説明図である。
【図２】  底面視した状態を表す説明図である。
【図３】  側面視した状態を表す説明図である。
【図４】  展開図で表した説明図である。
【図５】  実施例２を平面視した状態を表す説明図である。
【図６】  側面視した状態を表す説明図である。
【図７】  展開図で表した説明図である。
【図８】  実施例３を底面視した状態を表す説明図である。
【図９】  側面視した状態を表す説明図である。
【図１０】  展開図で表した説明図である。
【図１１】  実施例４を背面より斜視した状態を表す説明図である。
【図１２】  底面視した状態を表す説明図である。
【発明を実施するための形態】
【００２１】  以下４つの実施例を図面に基づいて説明するが、この発明はこれ等の実施例にのみ限定されるものではない。
【実施例１】
【００２２】  図１乃至図４でこの実施例の物品等の収容ケースを表す。この収容ケース１は個包装のチョコレート菓子を入れる紙箱であって、収容ケース１はケース部２の前壁に粘着テープ２９によってキャラクター板１０を固定して成るものである。キャラクター板１０はその表面にキャラクターが印刷されている点が特徴である。またキャラクター板１０の下側の脚部１１とケース部２の下側の脚部２４との都合４脚で、この収容ケースが自立し得るように構成されている。キャラクター板１０もケース部２も、個別には自立が出来ない性質のものであるが、両者が組み合わさることで自立可能となるのである。【００２３】  キャラクター板１０に対するケース部２であるが、個包装のチョコレート菓子が納められるようにケース部２が構成されている。図４でケース部２の展開状態が良く分かるが、２つ折りの折り側とは反対側をのりしろ片２８で接着して成る筒状のケース部２の、一側に設けた湾曲状の折り線から折って底壁２０を形成すると共に他側に設けた湾曲状の折り線から折って突っ張り片２１を形成する。この底壁２０は文字通りケース部２の底壁となるものであり、突っ張り片２１はケース部２を前後に突っ張って膨らませる役割を担う。なお突っ張り片２１の前記折り線の中央部には切れ目２２が設けられており、底壁２０の中央部には差し込み片２３が設けられており、この差し込み片２３を切れ目２２に挿すことで底壁２０を固定するように構成されている。また筒状のケース部２の、一側の壁面の上部にはフラップ２５が、またその頂部には差し込み片２６が延設されており、この差し込み片２６は他側の壁面に設けた切れ目２７に挿すことが出来るように構成されている。これにより閉じたフラップ２５を固定することが出来る。フラップ２５を閉じればチョコレート菓子を入れたケース部２の封が完了する。【００２４】  なおケース部２は前壁も後壁も共に湾曲している。従って中央部でキャラクター板１０に接着している前壁はその両端に行くほどキャラクター板１０から浮くようになる。すなわちキャラクター板１０とケース部２との間に隙間Ｓを生じているために、この実施例の構成は両者の立体感が強調されるデザインとなると言う副次的な効果を奏する。なおキャラクター板１０はケース部２に対して完全固定でなくとも良く、例えばフラップのように上方向に開いたり元に戻したりするような動きが可能でありながら、ケース部２には実質的に取り外せない、と言うような構成とすることが出来る。
【実施例２】
【００２５】  図５乃至図７でこの実施例の物品の収容ケース３を表す。この収容ケース３はいわゆるキャラメル箱のケース部４の前壁４３に粘着テープ４９によりキャラクター板３０を固定して成るものである。キャラクター板３０はその表面にキャラクターが印刷されている点が特徴である。【００２６】  キャラクター板３０に対するケース部４であるが、図４でその展開状態を表すが、前壁４３の横方向の長さが後壁よりも短くなっており、両側の側壁４４は前方に向けて傾斜することになる。このため中央部で粘着テープ４９によってキャラクター板３０に接着している前壁４３は左右の端部に行くほどキャラクター板３０から浮くようになる。すなわちキャラクター板３０とケース部４との間に隙間Ｓを生じて両者の立体感が強調される効果を奏する。またキャラクター板３０とケース部４とは後述する接地片４２と幅の広い差し込み接地片４６とで安定的に自立することが出来る。【００２７】  更にケース部４は、天壁４０とは反対側の底壁４１に延設された接地片４２を有すると共に、前壁４３の底部に延設された差し込み接地片４６を有する。また底壁４１の山折線の中央部分には上記差し込み接地片４６を挿通するための切れ目４７が入れられており、この差し込み接地片４６には上記底壁４１を固定するための粘着テープ４８が接着されている。また両側の側壁４４は共にフラップ４５を備えている。そこで差し込み接地片４６を切れ目４７に挿通して、差し込み接地片４６に底壁４１を粘着テープ４８を以て固定すると共に、両側の側壁４４でフラップ４５を以て蓋をすると、キャラメル箱のケース部４が完成する。この中には菓子が納められる。なお接着固定された底壁４１と差し込み接地片４６とは一体となって、図６で表すようなフラットな台座を構成している。この台座の接地片４２の上にキャラクター板３０が乗って接地する形となっている。
【実施例３】
【００２８】  図８乃至図１０でこの実施例の物品等の収容ケース５を表す。この収容ケース５はその一壁をキャラクター板部５０として、上述したキャラクター板１０やキャラクター板３０に相当するものを収容ケース５の一部に取り込んだ形態のものである。従ってこの実施例のキャラクター板部５０はその表面にキャラクターが印刷されている。【００２９】  収容ケース５は図１０で表すように、ケース部底壁５１を境にキャラクター板部５０とケース部後壁５４とが一続きに形成されている。このケース部底壁５１と、キャラクター板部５０との間の山折線及びケース部後壁５４との間の山折線には、切れ目５２が設けられており、各々を折り返した際に４か所に脚部５３が形成されるように構成されている。またケース部後壁５４はその左右の両側に側壁５６とフラップ５７とを有している。この側壁５６とフラップ５７との間の山折線の中央部には切れ目５８が設けられており、一方上記キャラクター板部５０の両側には差し込み片５９が設けられている。従ってケース部後壁５４とキャラクター板部５０とを近付けて、側壁５６とフラップ５７とを内方に折り込みつつ、上記差し込み片５９を切れ目５８に挿通することで、菓子用の収容ケース５が形成される。なおこの時のケース部後壁５４の上縁部に延設された蓋部５５は、フラップの役割ではなくてキャラクター板部５０に密着する役割を担っている。【００３０】  このようにこの実施例の収容ケース５は、上記キャラクター板部５０を一壁として収容ケース５が構成されていると共に、キャラクター板部５０も収容ケース５も４か所の脚部５３によって互いの自立に寄与し得る点に特徴を有する。キャラクター板部５０とケース部後壁５４とを一続きに形成しているため、コストが比較的安価である。
【実施例４】
【００３１】  図１１及び図１２でこの実施例の物品等の収容ケース５を表す。上述した実施例は何れも底が何方の方向にも安定する脚部か台座を有していた。これに対してこの実施例の収容ケース６は、前後方向い安定すると共に左右方向には一定範囲の動きを許容して安定するように、すなわちロッキングチェアのごとく左右に揺動し得るように設けられている点に特徴を有する。【００３２】  収容ケース６はキャラクター板６０とケース部７とから成り、キャラクター板６０にはその表面にキャラクターが印刷されている。このキャラクター板６０はケース部７の前壁７０に粘着テープ７８によりを固定して成るものである。収容ケース６は左右端部で繋がった前壁７０と後壁７１とを、図１１で表すように後壁７１側に設けた切り込み部７２の内側を水平状の折り目７３から内側に折って形成される突っ張り片７４にて上記前壁７０を内側から突っ張ることで、ケース部７の内部を膨らませて物品を収容し得るように構成したものである。この突っ張り片７４上に例えば軽いハンカチなどの商品を載せ置くようにして収容するのである。【００３３】  ところで上記前壁７０の下縁部には前側凸状部７６が、また後壁７１の下縁部には後ろ側凸状部７７が、同じ位置に設けられている。この前側凸状部７６と後ろ側凸状部７７とに合わせるようにして、キャラクター板６０の下縁部に同様のカーブの凸状部６１が形成されている。このようにこの実施例の収容ケース５は船底を有して、左右方向に揺動運動を行い得るようになっている。なお船底の中央部に重錘を取り付けたものとしても良い。収容される品物そのものを錘にすることも可能である。なお前壁７０及び後壁７１の上縁部はほぼ密着した状態の開閉部７５となっている。【００３４】  以上でこの発明の実施例の説明を終えるが、この発明の素材としては、厚紙以外にも、例えば合成樹脂フィルムや薄い人造皮革など任意のものが使用可能である。平板には一例ホログラムのような特殊加工を施すことが出来る。収容ケース全体の大きさや形状は任意である。従って福袋のような用途も十分在り得る。またこの発明の収容ケースはこれ単体で提供しても良いし、中にぬいぐるみなどの商品を入れて提供しても良い。またこの収容ケースの用途は上述した実施例の菓子ケースやハンカチに限られない。例えばタオルなどの衣料品、石鹸などの化粧品、ワッペン、紙のコースター、ペットフードの缶詰、個包装のティーバッグなどと幅広い用途に自由に利用し得る。絵はがきを収納するケース等としての用途もあり得る。なおディスプレーとしては、内部にＬＥＤライトを装置しておき、収容した物品をライトアップさせることが可能である。【００３５】  また印刷面を有する平板は、背面の収容ケースに対して着脱自在とすることが可能である。例えば上記粘着テープの代わりに面テープやゴム磁石を用いるのである。すると１つの収容ケースに対して複数の平板を用意しておけば、好みや気分に応じて平板を交換して用いることが可能となる。
【産業上の利用可能性】
【００３６】  この発明は宣伝用のフライヤーや商品サンプルを、また無料配布のティッシュ等を収納するケースとして活用することが可能であり、これ等もまたこの発明の権利範囲内のものである。
【符号の説明】
【００３７】  １    収容ケース        １０  キャラクター板      １１  脚部
２    ケース部          ２０  底壁                ２１  突っ張り片
２２  切れ目            ２３  差し込み片          ２４  脚部
２５  フラップ          ２６  差し込み片          ２７  切れ目
２８  のりしろ片        ２９  粘着テープ
３    収容ケース        ３０  キャラクター板
４    ケース部          ４０  天壁                ４１  底壁
４２  接地片            ４３  前壁                ４４  側壁
４５  フラップ          ４６  差し込み接地片      ４７  切れ目
４８  粘着テープ        ４９  粘着テープ
５    収容ケース        ５０  キャラクター板部    ５１  ケース部底壁
５２  切れ目            ５３  脚部                ５４  ケース部後壁
５５  蓋部              ５６  側壁                ５７  フラップ
５８  切れ目            ５９  差し込み片
６    収容ケース        ６０  キャラクター板      ６１  凸状部
７    ケース部          ７０  前壁                ７１  後壁
７２  切り込み部        ７３  折り目              ７４  突っ張り片
７５  開閉部            ７６  前側凸状部          ７７  後ろ側凸状部
７８  粘着テープ
【図１】
2018062383.tif 000003
【図２】
2018062383.tif 000004
【図３】
2018062383.tif 000005
【図４】
2018062383.tif 000006
【図５】
2018062383.tif 000007
【図６】
2018062383.tif 000008
【図７】
2018062383.tif 000009
【図８】
2018062383.tif 000010
【図９】
2018062383.tif 000011
【図１０】
2018062383.tif 000012
【図１１】
2018062383.tif 000013
【図１２】
2018062383.tif 000014